(57)【要約】【課題】構造物内部の貯水容量を確保しつつ上下方向荷重および水平方向荷重に対し大きな強度を発揮でき、また施工工事のための可搬性、扱い性にすぐれ、迅速かつ簡単に組立て工事が可能な貯水ユニットおよび貯水槽を提供する。【解決手段】  この貯水ユニット３０は、液体の流出入が可能な４側部および底部を備え、かつ上部が開放された籠部１が前後方向に２体、左右方向に２体づつ合計４体その各上縁で一体に接合された籠構造物２０を有し、この各籠部の４側部の内側面には上下方向に伸長する山形の側部補強リブ１０が形成され、各籠部１の底部は格子状の底部補強リブ７によって形成され、これら２体の籠構造物２０がその上部同士重ね合さるように該上部に形成された凹凸嵌合部（１２，１３）で嵌合されている。このような貯水ユニット３０を横方向、上下方向に複数個連結して貯水槽４０が構成される。【選択図】図５
2015096680.tif 000002
【特許請求の範囲】
【請求項１】
液体の流出入が可能な４側部および底部を備え、かつ上部が開放された籠部が前後方向に２体、左右方向に２体ずつ合計４体その各上縁で一体としてなる籠構造物を有し、前記各籠部の前記４側部の内側面には上下方向に伸長する山形の側部補強リブが形成され、前記各籠部の前記底部は格子状の底部補強リブによって形成されることを特徴とする籠構造物。
【請求項２】
前記籠部の外側面には、前記内側面の前記側部補強リブの位置に対応して、該側部補強リブの山形に対応した上下に伸長する谷形凹部が形成されることを特徴とする請求項１に記載の籠構造物。
【請求項３】
籠部が籠構造物を中心に対して対称に形成されることを特徴とする請求項１または２に記載の籠構造物。
【請求項４】
液体の流出入が可能な４側部および底部を備え、かつ上部が開放された籠部が前後方向に２体、左右方向に２体ずつ合計４体その各上縁で一体としてなる籠構造物を有し、前記各籠部の前記４側部の内側面には上下方向に伸長する山形の側部補強リブが形成され、前記各籠部の前記底部は格子状の底部補強リブによって形成され、２体の前記籠構造物がその上部同士重ね合さるように該上部に形成された凹凸嵌合部で嵌合されることを特徴とする貯水ユニット。
【請求項５】
前記籠部の外側面には、前記内側面の前記側部補強リブの位置に対応して、該側部補強リブの山形に対応した上下に伸長する谷形凹部が形成されることを特徴とする請求項４に記載の貯水ユニット。
【請求項６】
籠部が籠構造物を中心に対して対称に形成されることを特徴とする請求項４または５に記載の貯水ユニット。
【請求項７】
前記上部同士向き合って連結される一方の籠構造物の上部と他方の籠構造物の上部の間にスペーサが介在され、前記スペーサは、前記籠構造物の４側部上縁に接合される枠部と、前記籠部同士を連結している十字形上部に接合される十字形板部とによって形成されることを特徴とする請求項４乃至６のいずれかに記載の貯水ユニット。
【請求項８】
貯水ユニットが水平方向（横方向）および上下方向に複数個連結され、最上段の前記貯水ユニットの頂面に嵌合される上面継手部材と、前記貯水ユニットの上下重なり位置の籠部底面同士を連結する中間継手部材と、最下段の前記貯水ユニットの下面を連結する下面継手部材とを有することを特徴とする貯水槽。
【請求項９】
前記上面継手部材、前記中間継手部材および前記底面継手部材は前記貯水ユニットに形成された嵌合孔と嵌合する嵌合突起を有することを特徴とする請求項８に記載の貯水槽。
【発明の詳細な説明】
【技術分野】
【０００１】
本発明は、雨水等を貯留する貯水用の籠構造物、該籠構造物を組み合わせてなる貯水ユニットおよび地中または地面上に前記貯水ユニットを敷き詰めて構成した貯水槽に関する。
【背景技術】
【０００２】
雨水貯留施設としてプラスチック等の成形材料で形成した通孔板を枠形あるいは箱形に組み付けて道路や公園、空き地あるいはグランド等の地中に敷き詰め、その上面を平らに整地して地面本来の使用に供するとともに、その地中を貯水槽とするようにしたものが知られている。地面上から加わる垂直荷重に対する耐圧性を高めるため、前記通孔板に筒状補強柱や補強リブを立設した構造としており、施設面積に応じて単体の通孔板組付体を複数個上下方向に積層したり、横方向に複数個連結し、内部に雨水等を貯留するようにしている。
【０００３】
このような貯水システムとして、例えば特許文献１〜３に示すようなものが実現している。特許文献１に記載の雨水等の貯留浸透施設は、通孔のあるプレート状基盤の片面中心に筒状の突出部を設けて貯留ユニット部材とし、このユニット部材を上下あるいは横方向に複数個連結した構成としたものである。前記突出部は先端に向って漸次小径となるように形成し、前記ユニット部材を上下交互に倒立させて、各突出部が垂直な同一線上に並ぶように連結し、内部に貯水空間を確保している。この場合、上下方向の荷重は前記筒状の突出部で担持される。
【０００４】
また、特許文献２に記載の構造部材および構造物は、通孔のある４側壁の上端に縁枠を一体に連結した籠形の構造体とし、前記４側壁をつなぐ通孔底部の中心から中空の柱状部を籠内部へ突出させ、前記柱状部の上端を前記縁枠の上面と同一面となるようにしたものであり、この籠形構造部材を継手部材によって３次元的に連結して貯水設備としている。
【０００５】
さらに特許文献３に記載の構造体は、上面が平坦な基盤の裏面に中空の脚部を形成し、前記基盤同士を横方向に連結する継手部材の下面に前記脚部と同じ長さの中空支持体を形成した構造としている。複数体連結して上下方向および横方向（水平方向）に複数体連結して地面内に敷き詰めて雨水貯留施設とするが、上下方向の荷重は主として前記基盤の脚部および前記継手部材の柱状の支持体で担持するという構成である。
【先行技術文献】
【特許文献】
【０００６】
【特許文献１】特開平１０−２５２１０８号公報
【特許文献２】特開２００２−１２９６７６号公報
【特許文献３】特開２００２−３０９６５８号公報
【発明の概要】
【発明が解決しようとする課題】
【０００７】
この種の地中に埋設しかつその上部を通常の地上面として使用する貯水設備は、地上からの荷重に耐え得る強度を有しなければならず、しかも内部に充分な貯水空間を確保する必要がある。また、駐車場、グランド、校庭、公園等に設置する場合は施工時間をかけずに出来るだけ短時間で完成することが求められ、組立て工事も容易であることが必要である。
【０００８】
上述した各特許文献に記載の貯水構造は、いずれも構造物の連結、組立てにボルトや溶接等を用いず、凹凸嵌合を利用した継手部材で行うため、工期の短縮にはすぐれているものの、耐荷重性に関しては基盤の片面中央に形成した柱状の筒体あるいは籠形構造物の底面に立設した柱体を補強リブとして荷重を支持する構造のため、地上からの大きな荷重を支えるにはやや難点があり、特に、例えば地震等による横方向からの負荷に対しては充分ではない。柱体を構物の中心付近に形成するため、貯水容量となる各構成物の内部容積が補強用の柱体で犠牲になりがちである。充分な耐圧性を確保するために前記柱体あるいは柱状筒体を大径にすると、それだけ内部容積が阻害されるという問題点を含んでいる。
【０００９】
本発明は、構造物内部の貯水容量を確保しつつ上下方向荷重および水平方向荷重に対し大きな強度を発揮できる高耐圧型貯水ユニットおよびこの貯水ユニットを用いた貯水槽を提供することを目的とする。
【００１０】
本発明はまた、施工工事のための可搬性、扱い性にすぐれ、また、組立てにボルト等は不要であり、迅速かつ簡単に組立て工事が可能な貯水ユニットおよび貯水槽を提供することを目的とするものである。
【課題を解決するための手段】
【００１１】
本発明の籠構造物は、液体の流出入が可能な４側部および底部を備え、かつ上部が開放された籠部が前後方向に２体、左右方向に２体ずつ合計４体その各上縁で一体としてなる籠構造物を有し、前記各籠部の前記４側部の内側面には上下方向に伸長する山形の側部補強リブが形成され、前記各籠部の前記底部は格子状の底部補強リブによって形成されることを特徴とする。
【００１２】
本発明の１つの形態によれば、前記籠部の外側面には、前記内側面の前記側部補強リブの位置に対応して、該側部補強リブの山形に対応した上下に伸長する谷形凹部が形成されることを特徴とする。
【００１３】
本発明の１つの形態によれば、籠部が籠構造物を中心に対して対称に形成されることを特徴とする。
【００１４】
本発明に係る貯水ユニットは、液体の流出入が可能な４側部および底部を備え、かつ上部が開放された籠部が前後方向に２体、左右方向に２体ずつ合計４体その各上縁で一体に接合された籠構造物を有し、前記各籠部の前記４側部の内側面には上下方向に伸長する山形の側部補強リブが形成され、前記各籠部の前記底部は格子状の底部補強リブによって形成され、２体の前記籠構造物がその上部同士重ね合さるように該上部に形成された凹凸嵌合部で嵌合されることを特徴とする。
【００１５】
本発明の１つの形態によれば、前記籠部の外側面には、前記内側面の前記側部補強リブの位置に対応して、該側部補強リブの山形に対応した上下に伸長する谷形凹部が形成されることを特徴とする。
この形態により、構造物の補強リブが構造物側部に一体に、かつ上下方向に伸長して形成されるので、構造物の側壁面と協働して上下方向に大きな強度を発揮できるとともに、内部の貯水空間も充分に確保できる。
【００１６】
本発明の他の形態によれば、ユニット各部がユニット中心に対して対称に形成されることを特徴とする。
このように各部対称形に形成することにより、同一形態のものを上下、左右あるいは前後方向に多数連結する場合にも作業性が向上し、迅速に組付け工事ができる。
【００１７】
本発明のさらに他の形態によれば、前記上部同士向き合って連結される一方の籠構造物の上部と他方の籠構造物の上部の間にスペーサが介在され、前記スペーサは、前記籠構造物の４側部上縁に接合される枠部と、前記籠部同士を連結している十字形上部に接合される十字形板部とによって形成されることを特徴とする。
各籠構造物の重ね合せ部分に十字形板部を持つ枠形スペーサが介在されるので、内部の貯水容量を損なうことなく上下方向、横方向および斜め方向の荷重に対して強い強度が発揮される。
【００１８】
本発明に係る貯水槽は、前記貯水ユニットが水平方向（横方向）および上下方向に複数個連結され、最上段の前記貯水ユニットの頂面に嵌合される上面継手部材と、前記貯水ユニットの上下重なり位置の籠部底面同士を連結する中間継手部材と、最下段の前記貯水ユニットの下面を連結する下面継手部材とを有することを特徴とする。
複数個の貯水ユニットを連結して貯水槽を構成する場合に、各貯水ユニットと凹凸嵌合する継手部材によって連結するため、ボルト締め等の作業が全く不要であり、簡単かつ短い工期で貯水槽を完成することができる。前記貯水ユニットとしては、特許請求の範囲に記載した貯水ユニットが適用される。
【００１９】
本発明に係る貯水槽の１つの形態によれば、前記上面継手部材、前記中間継手部材および前記底面継手部材は前記貯水ユニットに形成された嵌合孔と嵌合する嵌合突起を有することを特徴とする。
前記各継手部材の取付けに際しては、ボルトなどは一切使用せず前記貯水ユニットの嵌合孔と前記継手部材の嵌合突起による嵌合でなされるため、組立て工事が極めて容易かつ迅速に行え、工期の短縮が図られる。
【発明の効果】
【００２０】
本発明によれば、地中に埋設される構造物の内部に大きな貯水空間が形成され、また、埋設された状態で上下方向の荷重および前後左右の横方向ないし斜め方向に作用する荷重にも充分な強度を有し、さらに複数の前記構造物を連結する場合にも簡単な作業で迅速に組付けができる。
【図面の簡単な説明】
【００２１】
【図１】本発明の実施例に係る籠構造物の籠部の上面図である。
【図２】本発明の実施例に係る貯水ユニットの籠構造物の斜視図である。
【図３】本発明の他の実施例に係る籠構造物の斜視図である。
【図４】図３に示す籠構造物におけるスペーサの斜視図である。
【図５】本発明の実施例に係る貯水ユニットを分解して示した斜視図である。
【図６】本発明の実施例に係るスペーサを有する貯水ユニットの側面図である。
【図７】本発明の実施例に係る貯水槽の概略的な上面図である。
【図８】本発明の実施例に係る貯水槽の概略的な側面図である。
【図９】図７に示す貯水槽における上面継手部材Ａの斜視図である。
【図１０】図７に示す貯水槽における上面継手部材Ｂの斜視図である。
【図１１】本発明の実施例に係る貯水槽と上面継手部材の連結状態を示す部分的な斜視図である。
【図１２】本発明の実施例に係る貯水槽に用いられる中間継手部材Ｃの斜視図である。
【図１３】本発明の実施例に係る貯水槽に用いられる中間継手部材Ｄの斜視図である。
【図１４】本発明の実施例に係る貯水槽に用いられる底面継手部材Ｅの斜視図である。
【図１５】本発明の実施例に係る貯水槽に用いられる底面継手部材Ｆの斜視図である。
【図１６】本発明のさらに他の実施例に係る貯水槽の部分的な側面図である。
【００２２】
次に、本発明の実施例に係る貯水ユニットおよびこの貯水ユニットを用いた貯水槽について図面を参照して説明する。
図１は本発明に係る貯水ユニットの一部の構成要素部分となる籠部の上面図である。なお、図２は籠構造物を、図５は貯水ユニットを示す図であるが、これらの図２、図５も参照しつつ図１に基いて実施例の籠部の構造を説明する。実施例の籠部１は上面視で略正方形の外形を有し、かつ上面が開放され、また４つの側壁２は液体（水）の流出入が可能な複数の矩形通孔３を有しており、その側壁下端は同様に水の流出入が可能な複数個の通孔４を有したリブ形態の底部５に連結されている。底部５の外面は平坦面となっているが、底部内面は図５に一部分目視されるように前後、左右に延びる補強リブ６が形成されている。底部２は全体として前後、左右に伸長する格子状リブ７と斜材リブ８によって構成されるが、これらのリブ７，８の間を通して水の流通が可能である。また、籠部１の４側壁２は下方へ向って若干内側へ傾斜した形態となっている。
【００２３】
図２にも明示されるように、籠部１の４側壁２には、各々その内側中間位置で底部５から上縁９まで上下に延びる山形の側部補強リブ１０が形成されている。実施例では、側部補強リブ１０の山形形状は台形柱状の形態となっており、かつその山巾が上部側より底部側が漸次大形となるように上下に伸長している。この台形柱状の側部補強リブ１０の位置に対応して側壁２の外側位置には、凹台形状の谷部１１が上下に伸長する形態で形成されている。
【００２４】
籠部１に形成される４つの側部補強リブ１０のうち１つ側部補強リブの上端には嵌合凸部１２が形成され、また他の１つの側部補強リブの上端には前記嵌合凸部１２に対応した形状の嵌合凹部１３が形成されている。そのほか貯水槽として組み立てるときの継手部材が嵌合する嵌合孔、嵌合溝（図５）等が籠部１の底部５に形成されているが、これについてはさらに後述する。
【００２５】
図２に示すように、４つの同形の籠部１が全体として上面視正方形の外形を成すように籠部上縁で一体に接合されて本発明に係る籠構造物２０が構成される。この構成によって籠構造物内には４つの貯水領域が形成される。籠構造物２０の上部４辺（上縁）２１には、若干外方へ張り出る形態で籠部側壁に沿って下方へＬ形に延びるフランジ部２２が形成されている。このフランジ部２２は構造物全体の補強機能を果たすとともに、籠構造物２０を上向きにした状態で搬送時や施工時等の扱い時に作業者が手で持ち上げるのに有利となる。
【００２６】
ここで、４個の籠部１を上述のように一体に連結した状態では、籠部１の側部補強リブ１０は、隣接した籠部１の側部補強リブ１０と対向する形態となっている。そして、その上端では籠部同士が接合される十字形梁部材２３を挟んで嵌合凸部１２と嵌合凹部１３が隣接対峙する形態となっている。籠構造物２０の上面外枠部分の４つのコーナ部（角部）の上面には、２つの籠構造物２０を上部同士向き合せて連結したときに互いに相手側の籠構造物２０と嵌合する小径の嵌合突起２４および嵌合孔２５が形成されている。なお、この嵌合突起２４は山形側部補強リブ１０の上端の嵌合凸部１２より高さが低くなるように形成され、これによって例えば工事現場で籠構造物２０を上部を下向きにして地面上に置いたとき、４角部の小径嵌合突起２４が地面に擦られて損傷する等といった危険が避けられる。
【００２７】
山形側部補強リブ１０の上端の嵌合凸部１２の輪郭部は若干ながら丸みを帯びており、またこれに対応して山形側部補強リブ１０の上端の嵌合凹部１３の輪郭部も若干丸みを帯びて成形されているため、向き合せて上下に重ねるときの両者の凹凸嵌合はきわめてスムーズになされる。
【００２８】
図５を参照して、本発明に係る貯水ユニット３０は、上述した籠構造物２０を２体その上部同士を向き合せて連結して構成される。その場合、２つの籠構造物を上部同士向き合うように上下に連結したとき、下側の籠構造物２０の嵌合凸部１２が上側の籠構造物２０の前記嵌合凹部（図５には図示されない）と凹凸嵌合し、下側の籠構造物２０の嵌合凹部１３は上側の籠構造物２０の前記嵌合凸部（図示されず）と凹凸嵌合する。それと同時に籠構造物２０の４角部に形成された嵌合突起２４および嵌合孔２５がそれぞれ相手方の同形の籠構造物２０の嵌合孔２５および嵌合突起２４と嵌合し、このようにして本発明に係る貯水ユニット３０が得られる。
【００２９】
本発明に係る籠構造物２０および貯水ユニット３０の強度をさらに高めるために、スペーサ２６が籠構造物２０の上部に取り付けられる。この場合、貯水ユニット３０は上下に重なる２体の籠構造物２０の間に前記スペーサが介在された形態となる。図４に示すように、スペーサ２６は籠構造物２０の上部外形に対応した正方形の外枠２７を有し、この外枠各辺の中間を結ぶように板状の十字形リブ２８が外枠２７と一体に形成されている。外枠２７の４コーナ部にはそれぞれ２個ずつの通孔２９が形成されている。スペーサ２６を挟んで籠構造物２０をその上部同士向き合せて重ねたとき、下側の籠構造物２０の嵌合突起２４はスペーサ２６の一方の通孔２９を通して相手側（上側）の籠構造物２０の嵌合孔２５と嵌合し、前記上側の籠構造物２０の嵌合突起２４はスペーサ２６の他方の通孔２９を通して下側の籠構造物２０の嵌合孔２５と嵌合する。
【００３０】
スペーサ２６の十字形リブ２８は籠構造物２０の籠部同士を接合している十字形の梁部２３の上面に沿って伸長し、十字形リブ２８の側縁は山形側部補強リブ１０の上端嵌合凸部１２の側面に接し、かつ側部補強リブ１０の上端の嵌合凹部１３に掛からない形態に形成されている。この構造により、スペーサ２６の介在は籠構造物２０あるいは貯水ユニット３０の貯水空間を何ら狭めることなく、上下および横方向に大きな補強効果を発揮する。図３は籠構造物２０にスペーサ２６を装着した状態を示し、図６はスペーサ２６を間に挟んだ貯水ユニット３０の側面図を示している。
【００３１】
次に、本発明の実施例に係る貯水槽について説明する。貯水槽は上述した貯水ユニットを横方向に、具体的には前後、左右方向に複数体連結して構成され、場合によって上下方向にも複数段に重ね合せた形態として構成される。横方向に連結する貯水ユニットの個数および上下に重ねる段数は、設置する地面の広さや設置対象によって適宜選定される。図８に示す実施例は貯水ユニット３０を上下に２段積層した貯水槽４０の側面図であって、この図の状態では左右方向に３組ずつ連結した貯水槽４０として示してある。図８において符号３０で示す部分が１単位の貯水ユニットである。この図からも分かるように、貯水槽４０の最上段の上面４１、および最下段の下面４２は、それぞれ各籠部の底面となっており、上下２段構成の場合の最上段の貯水ユニット３０と最下段の貯水ユニット３０との連結および３段以上の場合の中段位置の貯水ユニット同士の連結も各籠部の底面４３，４４同士が上下に連結される。
【００３２】
貯水ユニット３０の横方向連結および上下方向の積み重ね連結には嵌合形態の継手部材が用いられる。以下、本発明の貯水槽の組立てに用いられる継手部材の実施例について説明する。図９、図１０は貯水槽４０の上面継手部材を示した斜視図であり、図９は上面継手部材Ａ、図１０は上面継手部材Ｂの場合である。上面継手部材Ｂは貯水槽４０の上面側部位置の籠部連結に用いられる。
上面継手Ａ，Ｂはともに水の流入が可能な複数の通孔５１，５２を有する平板状に形成され、その裏面には、貯水ユニット３０の籠部１の底部４隅に形成された嵌合孔１４（図５）と嵌合する突起５３，５４が形成されている。また、継手側縁には貯水ユニット３０の籠部１の底部に形成された係止溝１５，１６（図５）と係合する舌片状の係止爪５５，５６が形成されている。図１１は上面継手部材Ａ，Ｂと最上部の貯水槽４０の上面４１との連結状態を遠近法による斜視図にて部分的に示したものである。この通孔５２をもつ平板状上面継手部材Ａ，Ｂによって貯水槽上面の籠部１と籠部１との間の大きな隙間１７（図５）が水流可能状態を確保しつつ閉塞され、貯水槽４０の上部が平坦面となる。上面継手部材Ａ，Ｂは貯水ユニット３０の籠部同士の補強も兼ねている。
【００３３】
籠構造物２０の４つの籠部１は、上部から下部へ向って横寸法が小さくなるようにテーパ状に傾斜しており、このため貯水槽４０の最上面は籠部１と籠部１との間に或る程度大きな隙間１７ができるが、この隙間は通孔５１，５２のある上面継手部材Ａ，Ｂによって水の流入を損なうことなく閉塞される。図１１は貯水槽最上面における上面継手部材Ａ、Ｂの嵌合連結状態を示した部分的な斜視図であり、上面継手部材Ａは籠構造物２０の４つの籠部１同士を連結している。継手部材Ａの４箇所の前記嵌合突起は各籠部底面の隅部の前記嵌合孔に嵌合するとともに、継手端部Ａの舌片状係止爪５５が籠部底面の係止溝１５に係合し、これによって籠部間の前記隙間を埋めるように４つの籠部１を強固に連結している。上面継手部材Ｂによって側辺側の２つの籠部１同士も同様にして嵌合突起１４と嵌合孔の係合および係止爪５６と係止溝の係合によって連結される。
【００３４】
図７はこのようにして上面継手部材Ａ、Ｂによって貯水槽４０の上面を連結した状態を概略的に示した平面であり、明瞭化のため、継手部材Ａ、Ｂの部分を平行斜線で示してある。符号４１で示す部分が籠構造物２０の籠部１の底部である。この底部４１が貯水槽４０の上面となることは既に述べた。この例は左右方向に２体、前後方向に３体、合計で６体の籠構造物を連結して構成した貯水槽である。
【００３５】
図１２、図１３は貯水槽を構成する積み重ねた貯水ユニット間を連結する中間継手部材を示したものであり、図１２は中間継手部材Ｃを、図１３は中間継手部材Ｄを示した斜視図であり、中間継手部材Ｄは中断位置の貯水槽側部における籠部１の底部同士の連結に用いられる。正方形の中間継手部材Ｃの４隅部には表裏面側へ伸長する突起６１が形成され、また十字形リブ６２および対角リブ６３が形成され、これによって補強および水の流通が可能となっている。中間継手部材Ｃは貯水ユニット３０の籠部１の底部内側に位置する４つの嵌合孔に該継手部材の４隅部の突起６１が嵌合することで、隣接した籠部１同士が連結される。長方形の枠形の中間継手部材Ｄは、貯水槽４０の最外側に位置する貯水ユニット３０の底部のそれぞれ籠部外側２個ずつの嵌合孔に該継手部材Ｄの上下両側に突出した突起６４が嵌合することで最外側位置の隣接した籠部同士が連結される。中間継手部材Ｄも水の流通が可能な通孔６５およびリブ６６が設けられている。
【００３６】
図１４、図１５は下部継手部材を示した斜視図である。図１４の下部継手部材Ｅは４角形の枠形の外形を成し、中間継手部材Ｃと同様に十字形リブ６７および対角リブ６８が形成され、これによって水の流通が可能となっている。下部継手部材Ｅの片面（上面）４隅には突起６９が形成され、最下段にある貯水ユニット３０の隣接した４つの籠部の底部の隅部に形成された嵌合孔１８（図５）と嵌合する。図１５に示す下部継手部材Ｆは長方形板７０で形成され、その両端片面に突起７１が形成されている。この下部継手部材Ｆは最下段の貯水ユニット３０の最外側の隣接した籠部同士の隅部に形成された嵌合孔１４に該継手部材Ｆの突起７１が嵌合することで籠部１同士が連結される。これらの下部継手部材Ｅ，Ｆも貯水槽下部の強度を向上させるものである。
【００３７】
上述の実施例では貯水槽の複数の籠構造物を全て同じサイズのもので構成した例を示したが、異なるサイズ、特に高さ方向のサイズの異なる籠構造物と組み合せて構成することもできる。図１６はこの場合の貯水槽８０を示した側面図であり、下段の貯水ユニット３０に対して最上段の貯水ユニット８１をハーフサイズのユニットとしてある。貯水ユニット８１の横巾は下段のものと同じであるが、高さＨが下段の貯水ユニットの高さＧの１／２としてある。貯水槽の施工に際して大きな工事変更を行うことなく、最終的な貯水槽の最上面の位置をより細かく調整可能となる。
【００３８】
次に、上述した実施例の貯水ユニットを組み付けて貯水槽を構成する形態について説明する。前述したように、複数個の貯水ユニットを継手部材を用いて前後、左右方向に連結し、この状態のものを上下方向に継手部材によって複数段積み重ねることで貯水槽の本体骨格部分が構成される。貯水ユニットを横方向に複数個連結し、また複数段に積み重ねた後は、施設の用途、目的に応じて上下面および側部周囲を各種のシートで覆う。例えば、地上面の排水を目的とした浸透施設とする場合は、上下面および側部の全面をポリエステル不織布等の透水シートで覆うのが好ましい。また、雨水等の貯留施設とする場合は、底面および側面周囲をＴＰＥ・ＰＶＣシート等の遮水シートで囲包した後、抵当な保護シートで全面を覆う。
【００３９】
実際の施工例を説明すれば、まず（１）地面を必要な深さに掘削して地底を平坦化した後、地底面全体に保護シートを敷設し、（２）この保護シートの上にさらに遮水シートを溶着した後、（３）貯水ユニットを前後、左右および必要な段数に積み上げて本体骨格部分を構築する。（４）積み上げた本体の上面に平板状の上面継手部材を設置し、さらに（５）本体の側部を保護シートで覆うとともに排水のための配管を本体側部に接続して本体骨格部分の組立てを完成させる。そして最後に（６）本体の上部全面に上部シートを敷設した後、土壌の埋め戻しを行って整地する。
【００４０】
以上説明したように、本発明の貯水ユニット３０および貯水槽４０は、籠構造物２０を構成する各籠部の４側壁に柱状の補強リブ１０を形成したので、側壁の板面と協働して大きな耐圧強度を有する。柱状リブは籠部の底面中心に立設されているものでないため、貯水空間が犠牲にならず、また外圧荷重によって補強リブが根元から倒壊、破損するといったおそれは皆無となる。
また、前記構造物の上面には４つの籠部を連結する十字形連結部２３が前記構造物の上部４側辺の中央をつなぐように形成されているため、横方向の荷重にも大きな強度を有し、さらに貯水槽の施工に際しての搬送時にも、多数の籠構造物を上下に入子式に重ねることができ、きわめてコンパクトな形態にして搬送できる。貯水槽として組み立てた場合に、その最上面は補強を兼ねた特長のある上面継手部材によって水の流入を損なうことなく、上部全面を大きな陥没空間のない平坦面に形成でき、施工後の整地が容易となる等、従来の構造では得られない諸種の効果がもたらされる。
【符号の説明】
【００４１】
１  籠部
２  側壁
３  矩形通孔
４  通孔
５  底部
７  格子状リブ
８  斜材リブ
１０  側部補強リブ
１１  凹台形状の谷部
１２  嵌合凸部
１３  嵌合凹部
２０  籠構造物
２３  十字形梁部材
２４  嵌合突起
２５  嵌合孔
２６  スペーサ
２８  スペーサの十字形リブ
３０，８１  貯水ユニット
４０，８０  貯水槽
Ａ，Ｂ  上面継手部材
Ｃ，Ｄ  中間継手部材
Ｅ，Ｆ  下部継手部材
【図１】
2015096680.tif 000003
【図２】
2015096680.tif 000004
【図３】
2015096680.tif 000005
【図４】
2015096680.tif 000006
【図５】
2015096680.tif 000007
【図６】
2015096680.tif 000008
【図７】
2015096680.tif 000009
【図８】
2015096680.tif 000010
【図９】
2015096680.tif 000011
【図１０】
2015096680.tif 000012
【図１１】
2015096680.tif 000013
【図１２】
2015096680.tif 000014
【図１３】
2015096680.tif 000015
【図１４】
2015096680.tif 000016
【図１５】
2015096680.tif 000017
【図１６】
2015096680.tif 000018